(57)【特許請求の範囲】
【請求項１】
洗濯水を溜める水槽と、前記水槽内に回転可能に配設され、前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、
前記乾燥手段から前記回転槽内への送風は、前記水槽の背面の上部から前方へ、または前記開口部周縁の上部から後方へ、行われるようにし、
前記制御手段は、洗い工程および／またはすすぎ工程で前記ヒータにより洗濯水を加熱した場合は、脱水工程後に洗濯物が前記突起体により前記回転槽の半分より上方まで持ち上がらない回転数で前記回転槽を回転させるとともに、少なくとも前記乾燥ファンを駆動させることを特徴とするドラム式洗濯機。
【請求項２】
洗濯水を溜める水槽と、前記水槽内に回転可能に配設され、前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、
前記乾燥手段から前記回転槽内への送風は、前記水槽の背面の上部から前方へ、または前記開口部周縁の上部から後方へ、行われるようにし、
前記制御手段は、洗い工程および／またはすすぎ工程で前記ヒータにより洗濯水を加熱した場合は、脱水工程後に洗濯物が前記突起体により前記回転槽の半分より上方まで持ち上がらない回転時間で前記回転槽を回転させるとともに、少なくとも前記乾燥ファンを駆動させることを特徴とするドラム式洗濯機。
【請求項３】
洗濯水を溜める水槽と、前記水槽内に回転可能に配設され前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、
前記乾燥手段から前記回転槽内への送風は、前記水槽の背面の上半分のいずれかから前方へ、または前記開口部の上半分のいずれかから後方へ、行われるようにし、
前記制御手段は、洗い工程および／またはすすぎ工程で前記ヒータにより洗濯水を加熱した場合は、脱水工程後に洗濯物が前記回転槽に張り付く回転数で前記回転槽を回転させるとともに、少なくとも前記乾燥ファンを駆動させることを特徴とするドラム式洗濯機。
【発明の詳細な説明】
【技術分野】
【０００１】
本発明は、衣類等の温水洗濯を行うドラム式洗濯機に関する。
【背景技術】
【０００２】
従来、洗濯水を加熱する機能を設けた洗濯機は、所望温度に洗濯水を加熱することで洗剤に含まれる酵素の効能を最大限に発揮し効果的な洗浄力を得ることができ、洗濯物に付着した落ち難い汚れを落とすことができるなど、非常に重宝されている。一方で、洗濯水の加熱に伴って発生する蒸気によって、機器の各部分へ不具合が発生するのを回避するため、特別にシール材を構成するなど、種々の結露対策構成を別途設けている（例えば特許文献１参照）。
【先行技術文献】
【特許文献】
【０００３】
【特許文献１】特開２００７−６８８０１号公報
【発明の概要】
【発明が解決しようとする課題】
【０００４】
しかしながら、前記従来の構成では、本来の洗濯するための機能に追加して結露対策用の構成が別途必要となり、使用者からすると無駄な部品・コストの追加となっていた。また、水槽と連結されて密閉状態にできない部分については、シール材を構成できず、結露の発生を回避することができない、という課題があった。
【０００５】
本発明は、前記従来の課題を解決するもので、特別な構成を別途設けることなく、結露の発生による機器の不具合発生を回避できる、ドラム式洗濯機を提供することを目的とする。
【課題を解決するための手段】
【０００６】
前記従来の課題を解決するために、本発明のドラム式洗濯機は、洗濯水を溜める水槽と、前記水槽内に回転可能に配設され、前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、前記乾燥手段から前記回転槽内への送風は、前記水槽の背面の上部から前方へ、または前記開口部周縁の上部から後方へ、行われるようにし、前記制御手段は、洗い工程および／またはすすぎ工程で前記ヒータにより洗濯水を加熱した場合は、脱水工程後に洗濯物が前記突起体により前記回転槽の半分より上方まで持ち上がらない回転数で前記回転槽を回転させるとともに、少なくとも前記乾燥ファンを駆動させるようにしたものである。
【０００７】
このような構成によって、特別な構成を別途設けることなく、結露の発生による機器の不具合発生を回避することができる。
【発明の効果】
【０００８】
本発明のドラム式洗濯機は、特別な構成を別途設けることなく、結露の発生による機器の不具合発生を回避することができる。
【図面の簡単な説明】
【０００９】
【図１】本発明の実施の形態１におけるドラム式洗濯機の概略構造を示す断面図
【図２】本発明の実施の形態１におけるドラム式洗濯機の動作を示すタイムチャート
【図３】比較例の洗濯機の動作を示すタイムチャート
【図４】本発明の実施の形態１におけるドラム式洗濯機の洗濯物の状態を表す模式図
【図５】比較例のドラム式洗濯機の洗濯物の状態を表す模式図
【図６】本発明の実施の形態２におけるドラム式洗濯機の洗濯物の状態を表す模式図
【発明を実施するための形態】
【００１０】
第１の発明は、洗濯水を溜める水槽と、前記水槽内に回転可能に配設され、前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、前記乾燥手段から前記回転槽内への送風は、前記水槽の背面の上部から前方へ、または前記開口部周縁の上部から後方へ、行われるようにし、前記制御手段は、洗い工程および／またはすすぎ工程で前記ヒータにより洗濯水を加熱した場合は、脱水工程後に洗濯物が前記突起体により前記回転槽の半分より上方まで持ち上がらない回転数で前記回転槽を回転させるとともに、少なくとも前記乾燥ファンを駆動させることを特徴とするドラム式洗濯機としたものである。
【００１１】
このような構成によって、特別な構成を別途設けることなく、結露の発生による機器の不具合発生を回避することができる。
【００１２】
第２の発明は、洗濯水を溜める水槽と、前記水槽内に回転可能に配設され、前面側に開口部を設けた回転槽と、前記回転槽を駆動するモータと、前記回転槽の内側に設けられた
突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、前記乾燥手段から前記回転槽内への送風は、前記水槽の背面の上部から前方へ、または前記開口部周縁の上部から後方へ、行われるようにし、前記制御手段は、洗い工程および／またはすすぎ工程で前記ヒータにより洗濯水を加熱した場合は、脱水工程後に洗濯物が前記突起体により前記回転槽の半分より上方まで持ち上がらない回転時間で前記回転槽を回転させるとともに、少なくとも前記乾燥ファンを駆動させることを特徴とするドラム式洗濯機としたものである。
【００１３】
このような構成によって、特別な構成を別途設けることなく、結露の発生による機器の不具合発生を回避することができる。
【００１４】
第３の発明は、洗濯水を溜める水槽と、前記水槽内に回転可能に配設され前面側に開口部を設けた回転槽と、前記回転槽を駆動するモータと、前記回転槽の内側に設けられた突起体と、前記水槽の下部に設けられた排水口と、前記水槽の下部に設けられた洗濯水加熱用のヒータと、洗濯物を乾燥させるための乾燥手段と、前記乾燥手段の一つを成す乾燥ファンと、洗い、すすぎ、脱水、乾燥の一連の工程の洗濯乾燥動作を制御する制御手段と、を備え、前記乾燥手段から前記回転槽内への送風は、前記水槽の背面の上半分のいずれかから前方へ、または前記開口部の上半分のいずれかから後方へ、行われるようにし、前記制御手段は、洗い工程および／またはすすぎ工程で前記ヒータにより洗濯水を加熱した場合は、脱水工程後に洗濯物が前記回転槽に張り付く回転数で前記回転槽を回転させるとともに、少なくとも前記乾燥ファンを駆動させることを特徴とするドラム式洗濯機としたものである。
【００１５】
このような構成によって、特別な構成を別途設けることなく、結露の発生による機器の不具合発生を回避することができる。
【００１６】
以下、本発明の実施の形態に係る洗濯機について、図面を参照しながら説明する。なお
、以下の実施の形態は、本発明を具体化した一例であって、本発明の技術的範囲を限定するものではない。
【００１７】
（実施の形態１）
以下、本発明の実施の形態１について、図面を参照しながら説明する。図１は、本発明の実施の形態１におけるドラム式洗濯機の概略構造を示す断面図である。図２は、本発明の実施の形態１におけるドラム式洗濯機の動作を示すタイムチャートである。図３は、従来のドラム式洗濯機の動作を示すタイムチャートである。図４は、本発明の実施の形態１におけるドラム式洗濯機の洗濯物の状態を表す模式図である。図５は、比較例のドラム式洗濯機の洗濯物の状態を表す模式図である。
【００１８】
図１〜図５において、有底円筒形に形成された水槽２が筐体１内に弾性的に支持されている。この水槽２内に有底円筒形に形成された回転槽４が回転可能に配設されている。回転槽４の回転軸心１０は、回転槽４の円筒形の中心線とほぼ一致しており、これは水槽２の円筒形の中心線ともほぼ一致している。
【００１９】
水槽２および回転槽４は、前面側に各々、開口部５、６が設けられている。水槽２の開口部５側を筐体１の正面側にして、回転槽４の回転軸心１０が水平方向から前上がりに傾斜（例えば、１０〜２０度）されて支持されている。回転軸心１０が前上がりに傾斜することで、少量の水で回転槽４の底部１１側に深い貯水状態が得られ、節水性を向上することができる。しかし、節水性を考慮しなければ、回転軸心１０は水平であってもよい。
【００２０】
水槽２の開口部５および回転槽４の開口部６に対向して、筐体１の前面に開閉自在な扉体７が設けられている。使用者は、扉体７を開くことにより、回転槽４に対して洗濯物を出し入れすることができる。なお、水槽２の開口部５の周囲には、柔軟な、例えばラバー等の弾性体によって成形されたベローズ８が配設されている。扉体７が閉じられると、その内面にベローズ８の一端が圧接し、開口部５と扉体７がシールされる。
【００２１】
水槽２の開口部５と反対側の端面には、回転槽４を回転駆動するモータ９が取り付けられている。モータ９のロータは、回転槽４の回転軸心１０で回転槽４と連結されており、モータ９の回転は回転軸心１０によって回転槽４に伝達される。回転槽４の周壁には、複数の突起体１２が回転軸心１０に向かって突出して設けられている。回転槽４が回転することにより、洗濯物が突起体１２で引っ掛けられて上方に持ち上げられ、ある程度の高さから落下させるといった撹拌動作が行われる。
【００２２】
回転槽４の周壁には、小孔１３が全周にわたって複数設けられており、水槽２内の洗濯水が所定の水位に溜まると、小孔１３から回転槽４内に洗濯水が入ってくるように構成されている。
【００２３】
水槽２の上方には、洗剤を収容する洗剤容器１４が設けられている。洗剤容器１４は、水道の蛇口と接続されている給水弁１５に接続されており、この給水弁１５の開閉によって洗剤容器１４への水道水の供給と停止が行われる。
【００２４】
水槽２の内底下部には凹形状の排水溝３が設けられる。排水溝３の底部かつ水槽２の最下点近傍には、水槽２内の洗濯水を排出する排水口１７が設けられ、また排水口１７から排出される洗浄水を筐体１の外へと導く排水経路１８が設けられている。排水経路１８の途中には、排水経路１８を開閉する排水弁１９が設けられている。
【００２５】
排水溝３には、洗濯水を加熱するヒータ３ａが設けられており、所望温度に洗濯水を加熱することができる。
【００２６】
水槽２は、洗濯物を乾燥する乾燥手段と連通しており、乾燥手段は、乾燥ファン２０、除湿手段２１ａおよび加熱手段２１ｂから成る。乾燥工程においては、乾燥ファン２０の作用により、除湿手段２１ａで除湿され、加熱手段２１ｂで加熱されて乾燥した温風が、水槽２の背面の上部の位置に設けた送風口２３から、水槽２および回転槽４の内側に向けて図１に矢印ａに示す通りに噴出する。その後、乾燥した温風は、回転槽４内の洗濯物と熱交換して洗濯物を乾燥した後、湿った低温の状態となって、水槽２の前方上部に設けた排気口２４から図１に矢印ｂに示す通りに除湿手段２１ａから加熱手段２１ｂに戻り、除湿された後、再度加熱される。この循環を繰り返す。また、乾燥工程において洗濯物から発生した糸屑は、着脱可能な乾燥フィルタ２２により回収され、使用者により廃棄される。
【００２７】
なお、送風口２３は、水槽２の背面の上部に形成しているが、水槽２の背面の上半分のいずれかの位置に形成していればよい。また、送風口２３は、回転槽４の開口部６の周縁の上部に形成してもよく、開口部６周縁の上半分のいずれかの位置に形成してもよい。
【００２８】
筐体１内には、ヒータ３ａ、モータ９、給水弁１５、排水弁１９、乾燥ファン２０等を制御し、洗い、すすぎ、脱水、乾燥の各工程の動作を設定されたプログラムに基づいて制御する制御手段２５が設けられている。
【００２９】
以上のように構成されたドラム式洗濯機について、以下、その動作、作用を説明する。図２は、本発明の実施の形態１におけるドラム式洗濯機の動作を示すタイムチャートである。
【００３０】
使用者が、扉体７を開いて回転槽４内に洗濯物を投入して運転を開始すると、制御手段２５は、洗い工程を開始し、投入された洗濯物の量を検知する。その後、給水弁１５を開き、洗濯水が洗剤容器１４内に貯蔵された洗濯洗剤を溶かして、洗濯水が水槽２内に給水される。
【００３１】
水槽２内に溜められる洗濯水は、水槽２の下部と連通した水位検知手段１６によって検知される。洗濯物の量に応じて設定された水量が溜められると、制御手段２５は、給水を停止する。回転槽４は、モータ９によって正逆回転駆動され、回転槽４内に収容された洗濯物は、突起体１２により回転方向に持ち上げられた後、落下し、洗濯物は、叩き洗いの作用によって洗浄される。
【００３２】
所定の洗い時間が経過すると、排水弁１９が開かれ、水槽２内の洗濯水は排水経路１８を通して排水される。排水完了後、新たにすすぎ用の洗濯水が給水されてすすぎ工程を開始する。すすぎ工程における回転槽４の動作は、洗い工程と同様である。
【００３３】
所定回数のすすぎ工程が終わると、脱水工程を開始し、排水弁１９を開いて水槽２内のすすぎ用の洗濯水が排水される。回転槽４が高速で回転して、洗濯物に含まれているすすぎ用の洗濯水が脱水される。脱水工程を所定時間実行して運転を終了する。なお、「洗濯〜乾燥」運転が選ばれた場合は、脱水工程に続いて乾燥工程を実行する。
【００３４】
また、使用者により温水で洗濯するコースが選ばれた場合は、ヒータ３ａにより洗濯水が所定温度まで加熱されて、洗い工程が行われる。洗濯水がヒータ３ａにより加熱されると、水槽２内および回転槽４内には蒸気が発生して、蒸気は水槽２および回転槽４の上部から矢印ｂの通りに上昇し、着脱可能な乾燥フィルタ２２の周辺で結露してしまう。
【００３５】
これについて、詳しく説明する。図３は、本発明に至る過程で実験した比較例のドラム
式洗濯機の洗濯時の動作を示すタイムチャートである。図３（ａ）に示す通り、「洗濯〜乾燥」運転が選択された場合、洗い工程で乾燥フィルタ２２に結露が発生しても、その後の乾燥工程中に乾くため、問題とはならない。
【００３６】
しかしながら、図３（ｂ）に示す通り、「洗濯のみ」運転が選択された場合、洗い工程中に発生した結露は、乾燥フィルタ２２に付着したままで運転終了するため、使用者が乾燥フィルタを取り外した場合、付着した結露が洗濯機外の床面などに滴下し、床面を汚し、床面が木製の場合には、床面を腐らせたりする虞がある。
【００３７】
この問題に対して、一般的に、乾燥フィルタ２２が結露した場合は、使用者が「乾燥のみ」運転を別途実施することで対応している。
【００３８】
しかしながら、この対応は、使用者に手間をかけさせるだけでなく、大変効率が悪い内容となっている。図５は、比較例の洗濯機の洗濯物の状態を表す模式図である。比較例の乾燥運転は、除湿手段２１ａおよび加熱手段２１ｂにより除湿されると共に熱せられ乾いた温風が回転槽４内の洗濯物と効率よく熱交換するよう、突起体１２により洗濯物が持ち上げられ、回転槽４内をくまなく舞うように回転槽４が駆動される。その結果、温風は、洗濯物を乾かせた後、湿った低温の状態で図１に矢印ｂに示す通りに、除湿手段２１ａおよび加熱手段２１ｂに戻り、循環する。よって、乾燥フィルタ２２を通過する風は、湿った低温の状態であり、付着した結露を乾燥するのには適さず、結露を除去するには非常に長時間を要することとなる。その結果、非常に多くの無駄なエネルギーを浪費する問題がある。
【００３９】
そこで、本発明は、図２（ｂ）に示す通り、「洗濯のみ」運転が選ばれた場合、最終脱水後に洗濯物が突起体１２により大きく持ち上がらない回転数、もしくは、回転時間で回転槽４を回転させるとともに、乾燥手段を駆動させる仕上げ工程を設けている。
【００４０】
即ち、図４に示す通り、回転槽４を低速（例えば１５ｒ／ｍｉｎ程度）で回転させると、洗濯物は、突起体１２により上方まで持ち上がることはなく、回転槽４の下部に集まった状態となるため、送風口２３から出る図４に矢印ａで示す乾いた温風と接触して熱交換することはなく、その結果、乾いた温風は、乾いた温風の状態のまま図４に矢印ｂで示す通りに流れ、乾燥フィルタ２２周辺の結露を除去する効果が得られる。
【００４１】
回転槽４を低速で回転させた状態では、洗濯物は、突起体１２により上方まで持ち上がることはないが、突起体１２に引っ掛けられて、回転槽４の回転に伴って回転槽４内で転がる状態となっている。
【００４２】
回転槽４を回転させずに乾燥手段を駆動させると、回転槽４の下部に集まった洗濯物の上表面のみが乾いて、最終脱水後の状態のまま放置されることで、いわゆる脱水シワが付く問題がある。
【００４３】
本発明によれば、回転槽４を低速で回転させることにより、洗濯物は、突起体１２に引っ掛けられて、回転槽４の回転に伴って回転槽４内で転がる状態となるので、脱水シワの問題を解消することができる。
【００４４】
なお、回転槽４は、常時回転させる必要はなく、脱水シワが生じない程度に洗濯物を回転させることが可能なように断続的に回転させてもよい。
【００４５】
本実施の形態では、回転槽４の回転数は、洗濯物の量にもよるが、洗濯物が回転槽４の回転方向側の回転槽４の半分よりやや上方位置まで持ち上がる程度の回転速度以下に設定
している。回転槽４の回転速度は、回転槽４の回転に伴って持ち上げられた洗濯物が上方から落下して乾いた温風の流れを大きくさえぎらない回転速度が好ましい。
【００４６】
また、回転槽４を短時間（例えば、本実施の形態では、２秒程度）回転させてもよい。短時間の回転槽４の回転では、洗濯物が突起体１２により上方まで持ち上がることはないため、同様に乾燥フィルタ２２周辺の結露を除去する効果が得られる。回転槽４を回転させる時間は、回転槽４を回転させても洗濯物が突起体１２により持ち上がらない程度の時間であり、本実施の形態の２秒程度に限定するものではない。
【００４７】
回転槽４を短時間回転させた状態では、洗濯物は、突起体１２により上方まで持ち上がることはないが、突起体１２に引っ掛けられて、回転槽４の回転に伴って回転槽４内で転がる状態となっている。洗濯物は、回転槽４の回転に伴って回転槽４内で転がる状態となるので、脱水シワの問題を解消することができる。
【００４８】
なお、回転槽４は、脱水シワが生じない程度に洗濯物を回転させることが可能な時間間隔で断続的に回転させてもよい。
【００４９】
回転槽４の回転時間は、洗濯物の量にもよるが、洗濯物が回転槽４の回転方向側の回転槽４の半分よりやや上方位置まで持ち上がる程度の回転時間以下に設定している。回転槽４の回転時間は、回転槽４の回転に伴って持ち上げられた洗濯物が上方から落下して乾いた温風の流れを大きくさえぎらない回転時間が好ましい。
【００５０】
以上のように、本発明のドラム式洗濯機は、特別な構成を別途設けることなく、結露の発生による機器の不具合発生や、洗濯機外への結露水滴下による不具合発生を回避することができる。
【００５１】
（実施の形態２）
図６は、本発明の第２の実施の形態におけるドラム式洗濯機の洗濯物の状態を表す模式図である。以下、実施の形態１とは異なる点のみを説明する。
【００５２】
本発明の第２の実施の形態では、回転槽４を通常の乾燥よりも高速（例えば８０ｒ／ｍｉｎ程度）で回転させている。回転槽４を高速で回転させると、図６に示す通り、洗濯物は、回転槽４の内側に張り付き落下することはない。従って、送風口２３から出る乾いた温風は、図６に矢印ａで示すように、洗濯物は、乾いた温風と接触して熱交換することはなく、その結果、乾いた温風は、乾いた温風の状態のまま、図６に示す矢印ｂの通りに流れ、乾燥フィルタ２２周辺の結露を除去する効果が得られる。
【００５３】
なお、回転槽４の高速の回転は、断続的に行なうものである。回転槽４の回転を停止すると、洗濯物は回転槽４の下部に落下し、回転槽４の回転時に温風に接触していない部分が表面になる。再び回転槽４の回転が始まると、回転槽４の内側に張り付いた状態となって、新たな部分が温風と接触することになる。これにより、洗濯物の一部分のみが乾くことによる脱水シワを抑制することができる。
【００５４】
以上のように、本発明のドラム式洗濯機は、特別な構成を別途設けることなく、結露の発生による機器の不具合発生や、洗濯機外への結露水滴下による不具合発生を回避することができる。
【００５５】
なお、本発明の各実施の形態では、乾燥手段として、乾燥ファン２０と、除湿手段２１ａおよび加熱手段２１ｂの両方を駆動させているが、乾燥ファン２０のみを駆動させても良い。
【００５６】
また、本発明の各実施の形態は、他の実施の形態と組み合わせても実施可能である。よって、他の実施の形態のもしくは他の実施の形態の一部と組み合わせたものも開示される。
【産業上の利用可能性】
【００５７】
以上のように、本発明にかかるドラム式洗濯機は、特別な構成を別途設けることなく、結露の発生による機器の不具合発生や、洗濯機外への結露水滴下による不具合発生を回避することができ、大変有用である。
【符号の説明】
【００５８】
１  筐体
２  水槽
３  排水溝
３ａ  ヒータ
４  回転槽
５、６  開口部
７  扉体
８  ベローズ
９  モータ
１０  回転軸心
１１  底部
１２  突起体
１３  小孔
１４  洗剤容器
１５  給水弁
１６  水位検知手段
１７  排水口
１８  排水経路
１９  排水弁
２０  乾燥ファン
２１ａ  除湿手段
２１ｂ  加熱手段
２２  乾燥フィルタ
２３  送風口
２４  排気口
２５  制御手段
【図１】
0006268365.tif 000002
【図２】
0006268365.tif 000003
【図３】
0006268365.tif 000004
【図４】
0006268365.tif 000005
【図５】
0006268365.tif 000006
【図６】
0006268365.tif 000007